(57)【要約】【課題】切替部材が媒体に押されて媒体の搬送経路が切り替わることを防止すること。【解決手段】媒体（Ｓ）の搬送方向を媒体の収容手段（ＴＲｈ）に案内する第１の案内位置と、媒体の収容手段（ＴＲｈ）とは異なる位置に案内する第２の案内位置とで切り替える切替手段（ＧＴ１）であって、媒体（Ｓ）の幅方向に沿って第１の移動位置と第２の移動位置との間で移動可能な切替手段（ＧＴ１）と、第１の移動位置に移動する場合に、切替手段（ＧＴ１）を第１の案内位置に移動させるとともに、第２の移動位置に移動する場合に、切替手段（ＧＴ１）を第２の案内位置に移動させる移動手段（６〜１３）と、を備えたことを特徴とする媒体搬送装置。【選択図】図３
2020050499.tif 000002
【特許請求の範囲】
【請求項１】
媒体の収容手段に向けて媒体を搬送する搬送手段と、
前記媒体の搬送方向を、前記媒体の収容手段に案内する第１の案内位置と、前記媒体の収容手段とは異なる位置に案内する第２の案内位置とで切り替える切替手段であって、媒体の幅方向に沿って第１の移動位置と第２の移動位置との間で移動可能な前記切替手段と、
前記第１の移動位置に移動する場合に、前記切替手段を前記第１の案内位置に移動させるとともに、前記第２の移動位置に移動する場合に、前記切替手段を前記第２の案内位置に移動させる移動手段と、
を備えたことを特徴とする媒体搬送装置。
【請求項２】
媒体の収容手段に向けて媒体を搬送する搬送手段と、
前記媒体の搬送方向を、前記媒体の収容手段に案内する第１の案内位置と、前記媒体の収容手段とは異なる位置に案内する第２の案内位置とで切り替える切替手段であって、媒体の幅方向に沿って第１の移動位置と第２の移動位置との間で移動可能な前記切替手段と、
前記切替手段に支持された突起手段と、媒体搬送装置の枠体に支持され前記切替手段が前記第２の移動位置に移動する際に前記突起手段に接触して前記切替手段を前記第２の案内位置に移動させる突起接触手段と、を有する移動手段と、
を備えたことを特徴とする媒体搬送装置。
【請求項３】
曲面状の外表面を有する前記突起手段と、
曲面状の外表面を有する前記突起接触手段と、
を備えたことを特徴とする請求項２に記載の媒体搬送装置。
【請求項４】
前記切替手段を前記第１の案内位置に向けて付勢する付勢手段と、
前記付勢手段の力に抗して前記切替手段を前記第２の案内位置に移動させる駆動手段と、
を備えたことを特徴とする請求項１ないし３のいずれかに記載の媒体搬送装置。
【請求項５】
前記切替手段に支持された被案内手段と、
媒体の幅方向に対して傾斜して形成され前記被案内手段を案内することで前記切替手段を前記第１の案内位置と前記第２の案内位置との間で移動させる案内手段と、
を備えたことを特徴とする請求項１ないし４のいずれかに記載の媒体搬送装置。
【請求項６】
媒体の幅方向の一端側に配置された前記移動手段と、
媒体の幅方向の他端側に配置された前記被案内手段および前記案内手段と、
を備えたことを特徴とする請求項５に記載の媒体搬送装置。
【請求項７】
媒体に画像を形成する画像の形成手段と、
前記画像の形成手段で画像が形成された媒体を搬送する請求項１ないし６のいずれかに記載の媒体搬送装置と、
を備えたことを特徴とする画像形成装置。
【発明の詳細な説明】
【技術分野】
【０００１】
本発明は、媒体搬送装置および画像形成装置に関する。
【背景技術】
【０００２】
複写機、プリンタ、ＦＡＸ等の画像形成装置において、媒体の搬送方向を切り替えるための切替手段を有する技術に関し、以下の特許文献１、２に記載の技術が知られている。
【０００３】
特許文献１としての特開２０１７−１１９５５９号公報には、排紙トレイ（１２１）へ排出されるシートをガイドし且つ両面印刷時に両面搬送路（２０６）に送られるシートをガイドする第１切替位置と、両面印刷時にシート反転搬送路（２０２）にシートをガイドする第２切替位置との間で搬送経路を切り換える切替部材（１８１）が記載されている。特許文献１に記載の構成では、ねじりコイルバネ（２１４）の付勢力で、切替部材（１８１）を第１切替位置に移動させて保持している。
【０００４】
特許文献２としての特開平１０−１６７５４３号公報には、第１のフラップ部材（１０１）と第２のフラップ部材（１０２）とで、用紙反転部（５２）とフェイスダウンスタッカ（４２）とフェイスアップスタッカ（５０）に振り分ける構成が記載されている。特許文献２に記載の構成では、第２のフラップ部材（１０２）は、手動操作の操作レバー（１０３）で位置が切り替えられ、第１のフラップ部材（１０１）は、プランジャ（１０４）のオン・オフで切り替えられている。なお、特許文献２に記載の構成では、各フラップ部材（１０１，１０２）を特定の位置に保持するバネ等は記載されていない。
【先行技術文献】
【特許文献】
【０００５】
【特許文献１】特開２０１７−１１９５５９号公報（「００２５」−「００４３」、図２、図３）
【特許文献２】特開平１０−１６７５４３号公報（「００４１」−「００６１」、図２、図５、図６）
【発明の概要】
【発明が解決しようとする課題】
【０００６】
本発明は、切替部材が媒体に押されて媒体の搬送経路が切り替わることを防止することを技術的課題とする。
【課題を解決するための手段】
【０００７】
前記技術的課題を解決するために、請求項１に記載の発明の媒体搬送装置は、
媒体の収容手段に向けて媒体を搬送する搬送手段と、
前記媒体の搬送方向を、前記媒体の収容手段に案内する第１の案内位置と、前記媒体の収容手段とは異なる位置に案内する第２の案内位置とで切り替える切替手段であって、媒体の幅方向に沿って第１の移動位置と第２の移動位置との間で移動可能な前記切替手段と、
前記第１の移動位置に移動する場合に、前記切替手段を前記第１の案内位置に移動させるとともに、前記第２の移動位置に移動する場合に、前記切替手段を前記第２の案内位置に移動させる移動手段と、
を備えたことを特徴とする。
【０００８】
前記技術的課題を解決するために、請求項２に記載の発明の媒体搬送装置は、
媒体の収容手段に向けて媒体を搬送する搬送手段と、
前記媒体の搬送方向を、前記媒体の収容手段に案内する第１の案内位置と、前記媒体の収容手段とは異なる位置に案内する第２の案内位置とで切り替える切替手段であって、媒体の幅方向に沿って第１の移動位置と第２の移動位置との間で移動可能な前記切替手段と、
前記切替手段に支持された突起手段と、媒体搬送装置の枠体に支持され前記切替手段が前記第２の移動位置に移動する際に前記突起手段に接触して前記切替手段を前記第２の案内位置に移動させる突起接触手段と、を有する移動手段と、
を備えたことを特徴とする。
【０００９】
請求項３に記載の発明は、請求項２に記載の媒体搬送装置において
曲面状の外表面を有する前記突起手段と、
曲面状の外表面を有する前記突起接触手段と、
を備えたことを特徴とする。
【００１０】
請求項４に記載の発明は、請求項１ないし３のいずれかに記載の媒体搬送装置において、
前記切替手段を前記第１の案内位置に向けて付勢する付勢手段と、
前記付勢手段の力に抗して前記切替手段を前記第２の案内位置に移動させる駆動手段と、
を備えたことを特徴とする。
【００１１】
請求項５に記載の発明は、請求項１ないし４のいずれかに記載の媒体搬送装置において、
前記切替手段に支持された被案内手段と、
媒体の幅方向に対して傾斜して形成され前記被案内手段を案内することで前記切替手段を前記第１の案内位置と前記第２の案内位置との間で移動させる案内手段と、
を備えたことを特徴とする。
【００１２】
請求項６に記載の発明は、請求項５に記載の媒体搬送装置において、
媒体の幅方向の一端側に配置された前記移動手段と、
媒体の幅方向の他端側に配置された前記被案内手段および前記案内手段と、
を備えたことを特徴とする。
【００１３】
前記技術的課題を解決するために、請求項７に記載の発明の画像形成装置は、
媒体に画像を形成する画像の形成手段と、
前記画像の形成手段で画像が形成された媒体を搬送する請求項１ないし６のいずれかに記載の媒体搬送装置と、
を備えたことを特徴とする。
【発明の効果】
【００１４】
請求項１，２，７に記載の発明によれば、切替部材が媒体に押されて媒体の搬送経路が切り替わることを防止することができる。
請求項３に記載の発明によれば、突起手段と突起接触手段との接触面積を小さくでき、突起手段と突起接触手段との接触しながらの相対移動を円滑にできる。
請求項４に記載の発明によれば、使用頻度の高い第１の案内位置に電力を消費せずに、付勢手段の力で保持することができる。
請求項５に記載の発明によれば、媒体の幅方向の移動に伴って、案内手段と被案内手段との接触で切替手段を第１の案内位置と第２の案内位置との間で移動させることができる。
請求項６に記載の発明によれば、幅方向の一方に集中して配置されている場合に比べて、切替部材が歪みやすくても、確実に切替部材を移動させることができる。
【図面の簡単な説明】
【００１５】
【図１】図１は実施例１の画像形成装置の全体説明図である。
【図２】図２は実施例１の画像の記録部の要部説明図である。
【図３】図３は実施例１の媒体搬送装置の要部斜視図である。
【図４】図４は実施例１の媒体搬送装置の幅方向の一端側の説明図であり、図４Ａは斜め上方から見た斜視図、図４Ｂは図４Ａの矢印ＩＶＢ方向から見た図である。
【図５】図５は実施例１のゲートを作動させる部位の説明図であり、幅方向の他端側説明図である。
【図６】図６は実施例１のゲートの説明図であり、図６Ａはゲートが第１の案内位置に移動した状態の説明図、図６Ｂはゲートが第２の案内位置に移動した状態の説明図である。
【発明を実施するための形態】
【００１６】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１７】
図１は実施例１の画像形成装置の全体説明図である。
図１において、本発明の実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。
【００１８】
オートフィーダＵ３の上部には、媒体の収容手段の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１９】
スキャナ部Ｕ２の上面には、透明な原稿台の一例としてのプラテンガラスＰＧが配置されている。実施例１のスキャナ部Ｕ２には、プラテンガラスＰＧの下方に、読取部の一例としての読取ユニットＵ２ａが配置されている。実施例１の読取ユニットＵ２ａは、プラテンガラスＰＧの下面に沿って、副走査方向の一例としての左右方向に移動可能に支持されている。読取ユニットＵ２ａは、通常時は、図１の実線で示す初期位置に停止している。なお、読取ユニットＵ２ａは、画像処理部ＧＳに電気的に接続されている。
【００２０】
図２は実施例１の画像の記録部の要部説明図である。
画像処理部ＧＳは、プリンタ部Ｕ１の書込回路ＤＬに電気的に接続されている。書込回路ＤＬは、潜像の形成手段の一例としての露光装置Ｌｈｙ，ＬＨｍ，ＬＨｃ，ＬＨｋに電気的に接続されている。
実施例１の露光装置Ｌｈｙ〜ＬＨｋは、一例として、複数のＬＥＤが主走査方向に並んだＬＥＤヘッドにより構成されている。露光装置ＬＨｙ〜ＬＨｋは、書込回路ＤＬから入力された信号に応じて、Ｙ，Ｍ，Ｃ，Ｋの各色に対応した書込光を出力可能に構成されている。
前記書込回路ＤＬや電源回路Ｅは、制御手段の一例としてのコントローラＣからの制御信号に応じて、書込時期や電源の供給時期が制御される。
図１において、露光装置ＬＨｙ〜ＬＨｋの上方には、像保持手段の一例としての感光体ＰＲｙ，ＰＲｍ，ＰＲｃ，ＰＲｋが配置されている。図１、図２において、各感光体ＰＲｙ〜ＰＲｋに書込光が照射される領域により、書込領域Ｑ１ｙ，Ｑ１ｍ，Ｑ１ｃ，Ｑ１ｋが構成されている。
【００２１】
各感光体ＰＲｙ，ＰＲｍ，ＰＲｃ，ＰＲｋの回転方向に対して、書込領域Ｑ１ｙ〜Ｑ１ｋの上流側には、帯電手段の一例としての帯電ロールＣＲｙ，ＣＲｍ，ＣＲｃ，ＣＲｋが配置されている。実施例１の帯電ロールＣＲｙ〜ＣＲｋは、感光体ＰＲｙ〜ＰＲｋに接触して従動回転可能に支持されている。
感光体ＰＲｙ〜ＰＲｋの回転方向に対して、書込領域Ｑ１ｙ〜Ｑ１ｋの下流側には、現像手段の一例としての現像装置Ｇｙ，Ｇｍ，Ｇｃ，Ｇｋが配置されている。各感光体ＰＲｙ〜ＰＲｋと各現像装置Ｇｙ〜Ｇｋとが対向する領域により、現像領域Ｑ２ｙ，Ｑ２ｍ，Ｑ２ｃ，Ｑ２ｋが構成されている。
【００２２】
感光体ＰＲｙ〜ＰＲｋの回転方向に対して、現像装置Ｇｙ〜Ｇｋの下流側には、１次転写手段の一例としての１次転写ロールＴ１ｙ，Ｔ１ｍ，Ｔ１ｃ，Ｔ１ｋが配置されている。各感光体ＰＲｙ〜ＰＲｋと各１次転写ロールＴ１ｙ〜Ｔ１ｋとが対向する領域により、１次転写領域Ｑ３ｙ，Ｑ３ｍ，Ｑ３ｃ，Ｑ３ｋが構成されている。
感光体ＰＲｙ〜ＰＲｋの回転方向に対して、１次転写ロールＴ１ｙ〜Ｔ１ｋの下流側には、清掃手段の一例としての感光体クリーナＣＬｙ，ＣＬｍ，ＣＬｃ，ＣＬｋが配置されている。
【００２３】
前記Ｙ色の感光体ＰＲｙ、帯電ロールＣＲｙ、露光装置ＬＨｙ、現像装置Ｇｙ、１次転写ロールＴ１ｙ、感光体クリーナＣＬｙにより、Ｙ色のトナー像を形成する実施例１のＹ色の可視像の形成手段の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、露光装置ＬＨｍ，ＬＨｃ，ＬＨｋ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。
【００２４】
前記感光体ＰＲｙ〜ＰＲｋの上方には、中間転写装置の一例としてのベルトモジュールＢＭが配置されている。ベルトモジュールＢＭは、像保持手段の一例であって、中間転写手段の一例としての中間転写ベルトＢを有する。中間転写ベルトＢは、無端帯状の部材により構成されている。
実施例１の中間転写ベルトＢは、張架手段の一例としてのテンションロールＲｔと、片寄りの補正手段の一例としてのウォーキングロールＲｗと、従動手段の一例としてのアイドラロールＲｆと、２次転写領域の対向手段の一例としてのバックアップロールＴ２ａと、１次転写ロールＴ１ｙ，Ｔ１ｍ，Ｔ１ｃ，Ｔ１ｋと、駆動部材の一例としての駆動ロールＲｄにより回転可能に支持されている。実施例１では、駆動ロールＲｄに駆動が伝達された場合に、中間転写ベルトＢが回転する。
【００２５】
前記中間転写ベルトＢを挟んでバックアップロールＴ２ａに対向する位置には、２次転写手段の一例としての２次転写ロールＴ２ｂが配置されている。バックアップロールＴ２ａおよび２次転写ロールＴ２ｂ等により、転写装置の一例としての実施例１の２次転写器Ｔ２が構成されている。また、２次転写ロールＴ２ｂと中間転写ベルトＢとが接触する領域により２次転写領域Ｑ４が構成されている。
中間転写ベルトＢの回転方向に対して、２次転写領域Ｑ４の下流側には、中間転写体の清掃装置の一例として、ベルトクリーナＣＬｂが配置されている。
前記１次転写ロールＴ１ｙ〜Ｔ１ｋ、中間転写ベルトＢおよび２次転写器Ｔ２等により、転写手段の一例としての実施例１の転写装置Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
【００２６】
図１において、作像部Ｕｙ〜Ｕｋの下方には、案内手段の一例としての左右一対のガイドレールＧＲが４段設けられている。各ガイドレールＧＲには、媒体の収容手段の一例としての給紙トレイＴＲ１〜ＴＲ４が前後方向に出入可能に支持されている。給紙トレイＴＲ１〜ＴＲ４には、媒体の一例としての記録シートＳが収容される。
給紙トレイＴＲ１〜ＴＲ４の左上方には、取出手段の一例としてのピックアップロールＲｐが配置されている。記録シートＳの搬送方向に対して、ピックアップロールＲｐの下流側には、捌き手段の一例としての捌きロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送手段の一例としての複数の搬送ロールＲａが配置されている。
【００２７】
複写機Ｕの左下部には、媒体の収容手段の一例としての手差しトレイＴＲ０が配置されている。手差しトレイＴＲ０の右上部には、ピックアップロールＲｐ０が配置され、手差し給紙路ＳＨ０が延びている。手差し給紙路ＳＨ０は給紙路ＳＨ１に合流している。
給紙路ＳＨ１には、２次転写領域Ｑ４の上流側に、搬送時期の調節手段の一例としてのレジロールＲｒが配置されている。レジロールＲｒから２次転写領域Ｑ４に向けて搬送路ＳＨ２が延びている。
【００２８】
記録シートＳの搬送方向に対して、２次転写領域Ｑ４の下流側には、定着手段の一例としての定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
プリンタ部Ｕ１の上面には、媒体の排出部の一例としての下段排紙トレイＴＲｈが形成されている。定着装置Ｆの上方には、搬送路の一例としての排紙路ＳＨ３が下段排紙トレイＴＲｈに向けて延びている。排紙路ＳＨ３の下流端には、媒体の搬送手段の一例としての排紙ロールＲｈが配置されている。
【００２９】
下段排紙トレイＴＲｈの上方には、媒体の排出部の一例としての上段排紙トレイＴＲｈ２が配置されている。定着装置Ｆの上方には、排紙路ＳＨ３から分岐して、上段排紙トレイＴＲｈ２に向けて延びる上方搬送路ＳＨ４が形成されている。
上方搬送路ＳＨ４には、媒体の搬送手段の一例としての正逆回転可能な反転ロールＲｂが配置されている。排紙路ＳＨ３と上方搬送路ＳＨ４との分岐位置よりも上方には、媒体の搬送路の一例としての反転路ＳＨ６が上方搬送路ＳＨ４から左下方に分岐している。
排紙路ＳＨ３と上方搬送路ＳＨ４との分岐部分と、上方搬送路ＳＨ４と反転路ＳＨ６との分岐部分とに渡る形で、切替手段の一例としてのゲートＧＴ１が配置されている。ゲートＧＴ１は、定着装置Ｆからの記録シートＳを下段排紙トレイＴＲｈに向けて案内すると共に、上方搬送路ＳＨ４から反転路ＳＨ６に記録シートＳを案内する第１の案内位置（第
２の位置）と、定着装置Ｆからの記録シートＳを上方搬送路ＳＨ４に案内する第２の案内位置（第１の位置）との間で切替可能に支持されている。
前記反転路ＳＨ６には、媒体の搬送手段の一例としての複数の搬送ロールＲａが配置されている。反転路ＳＨ６の下流端は、レジロールＲｒの上流側で給紙路ＳＨ１に合流している。
【００３０】
（画像形成動作の説明）
前記構成を備えた実施例１の複写機Ｕでは、原稿Ｇｉを作業者が手でプラテンガラスＰＧ上に置いて複写を行う場合には、読取ユニットＵ２ａが初期位置から左右方向に移動して、プラテンガラスＰＧ上の原稿Ｇｉが、露光されながら走査される。また、前記オートフィーダＵ３を使用して自動的に原稿Ｇｉを搬送して複写を行う場合には、読取ユニットＵ２ａは、初期位置から、図１の破線で示す原稿の読み取り位置に移動して停止する。そして、原稿トレイＴＧ１に収容された複数の原稿Ｇｉは、プラテンガラスＰＧ上の原稿の読み取り位置に順次搬送されて通過し、原稿の排紙トレイＴＧ２に排出される。したがって、プラテンガラスＰＧ上の読み取り位置を順次通過する各原稿Ｇｉは、停止した読取ユニットＵ２ａに露光されて走査される。なお、原稿Ｇｉからの反射光は、読取ユニットＵ２ａで受光される。前記読取ユニットＵ２ａは、受光された原稿Ｇｉの反射光を電気信号に変換する。なお、原稿Ｇｉの両面読取りが行われる場合には、読取りセンサＵ３ｄでも原稿Ｇｉが読み取られる。
【００３１】
画像処理部ＧＳは、読取ユニットＵ２ａから出力された電気信号が入力される。画像処理部ＧＳは、読取ユニットＵ２ａが読み取ったＲ，Ｇ，Ｂの色の画像の電気信号を、潜像形成用のイエローＹ、マゼンタＭ、シアンＣ、黒Ｋの画像情報に変換する。画像処理部ＧＳは、変換後の画像情報をプリンタ部Ｕ１の書込回路ＤＬに出力する。なお、画像処理部ＧＳは、画像が単色画像、いわゆる、モノクロの場合は、黒Ｋのみの画像情報を書込回路ＤＬに出力する。
書込回路ＤＬは、入力された画像情報に応じた制御信号を、露光装置ＬＨｙ〜ＬＨｋに出力する。露光装置ＬＨｙ〜ＬＨｋは、制御信号に応じた書込光を出力する。
【００３２】
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込領域Ｑ１ｙ〜Ｑ１ｋにおいて、レーザービームＬｙ〜Ｌｋにより、表面に静電潜像が形成される。感光体ＰＲｙ〜ＰＲｋの静電潜像は、現像領域Ｑ２ｙ〜Ｑ２ｋにおいて、現像装置Ｇｙ，Ｇｍ，Ｇｃ，Ｇｋにより可視像の一例としてのトナー像に現像される。
【００３３】
現像されたトナー像は、中間転写体の一例としての中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて、１次転写ロールＴ１ｙ〜Ｔ１ｋには、電源回路Ｅからトナーの帯電極性と逆極性の１次転写電圧が印加される。したがって、各感光体ＰＲｙ〜ＰＲｋ上のトナー像は、１次転写ロールＴ１ｙ〜Ｔ１ｋにより、中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ１ｙ〜Ｔ１ｋにより中間転写ベルトＢ上に転写された単色または多色のトナー像は、２次転写領域Ｑ４に搬送される。
【００３４】
画像が記録される記録シートＳは、使用される給紙トレイＴＲ１〜ＴＲ４のピックアップロールＲｐにより、取り出される。ピックアップロールＲｐで取り出された記録シートＳは、複数枚の記録シートＳが重ねて取り出された場合、捌きロールＲｓにより１枚ずつに分離される。捌きロールＲｓで分離された記録シートＳは、搬送ロールＲａにより給紙路ＳＨ１を搬送される。給紙路ＳＨ１を搬送された記録シートＳは、レジロールＲｒに送られる。手差しトレイＴＲ０に積載された記録シートＳも、ピックアップロールＲｐ０で手差し給紙路ＳＨ０を通じて給紙路ＳＨ１に送られる。
レジロールＲｒは、中間転写ベルトＢに形成されたトナー像が２次転写領域Ｑ４に搬送される時期を合わせて、記録シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢから記録シートＳに転写される。
【００３５】
２次転写後の前記中間転写ベルトＢは、表面に付着した付着物等がベルトクリーナＣＬｂにより清掃される。
前記トナー像が２次転写された記録シートＳは、定着領域Ｑ５を通過する際に加熱定着される。
画像が定着された記録シートＳが下段排紙トレイＴＲｈに排出される場合は、ゲートＧＴ１が第１の案内位置に移動する。したがって、定着装置Ｆから送り出された記録シートＳは、排紙路ＳＨ３を搬送される。排紙路ＳＨ３を搬送された記録シートＳは、排紙ロールＲｈにより下段排紙トレイＴＲｈに排出される。
【００３６】
記録シートＳが上段排紙トレイＴＲｈ２に排出される場合は、ゲートＧＴ１が第２の案内位置に移動して、上段排紙トレイＴＲｈ２に排出される。
記録シートＳが両面印刷される場合、ゲートＧＴ１が第２の案内位置に移動する。そして、記録シートＳの後端がゲートＧＴ１を通過すると、ゲートＧＴ１が第１の案内位置に移動すると共に、反転ロールＲｂが逆回転する。したがって、記録シートＳは、ゲートＧＴ１に案内されて、反転路ＳＨ６に送られる。
【００３７】
（ゲートの移動機構の説明）
図３は実施例１の媒体搬送装置の要部斜視図である。
図４は実施例１の媒体搬送装置の幅方向の一端側の説明図であり、図４Ａは斜め上方から見た斜視図、図４Ｂは図４Ａの矢印ＩＶＢ方向から見た図である。
図３、図４において、実施例１のゲートＧＴ１は、記録シートＳの幅方向に沿って間隔をあけて複数配置された板状のゲート本体１を有する。ゲート本体１は、記録シートＳの幅方向に沿って延びる連結部２で連結されている。連結部２の外端部には、軸部３が設けられている。
後側の軸部３ａは、フレームＵａの軸受け部４に、回転可能且つ前後方向に移動可能に支持されている。
【００３８】
後側（一端側）の軸部３ａの後部には、突起手段の一例としての突起部６が形成されている。突起部６は、軸部３ａから左方に延びる円柱状に形成されている。すなわち、突起部６は、曲面状の外表面を有する。
フレームＵａには、突起部６の左側に、突起接触手段の一例としてのガイド突起７が形成されている。ガイド突起７も、外表面が曲面状に面取りされた形状に形成されている。また、実施例１のガイド突起７は、ゲートＧＴ１が後側（第２の移動位置）に移動した場合に突起部６に接触可能、且つ、ゲートＧＴ１が前側（第１の移動位置）に移動した場合には突起部６とは前後方向に離れた位置関係となるように、前後方向の長さや位置が設定されている。
【００３９】
後側の軸部３ａの後端には、連結部材の一例としてのリンク１１の下端が連結されている。
リンク１１は、上部がフレームＵａから延びるリンク軸１１ａに回転可能に支持されている。リンク１１の下部には、付勢手段の一例としてのゲートバネ１２の一端が連結されている。ゲートバネ１２の他端は、フレームＵａに支持されている。
リンク１１の上端には、駆動源の一例としてのソレノイド１３のプランジャ１３ａが連結されている。
したがって、ソレノイド１３がオン（作動状態）になると、リンク１１の上端が後方に引っ張られ、リンク１１の下端が前方に移動し、ゲートＧＴ１が前方（第１の移動位置）に移動する。また、ソレノイド１３がオフ（停止状態）になると、ゲートバネ１２の弾性力でリンク１１の下端が後方に移動し、ゲートＧＴ１が後方（第２の移動位置）に移動する。
前記符号６〜１３を付した各部材により、実施例１の移動手段６〜１３が構成されている。
【００４０】
図５は実施例１のゲートを作動させる部位の説明図であり、幅方向の他端側説明図である。
図５において、前側（他端側）の軸部３ｂの前部には、被案内手段の一例としてのガイド片２１が形成されている。ガイド片２１は、左方に突出する板状に形成されている。
フレームＵａの前部には、ガイド片２１の左方に対応して、案内手段の一例としてのガイドレール２２が形成されている。ガイドレール２２は、ガイド片２１の上下を挟むように配置されており、ガイドレール２２の間にガイド片２１が挟まった状態となっている。したがって、ゲートＧＴ１の前後方向への移動に伴ってガイド片２１がガイドレール２２内を前後方向に移動可能に構成されている。また、実施例１のガイドレール２２は、前方に行くにつれて下方に傾斜する螺旋形状に形成されている。したがって、ガイド片２１の前後方向への移動に伴って、ゲートＧＴ１が軸３部（３ａ，３ｂ）を中心として回転するようにガイドする。
前記反転ローラＲｂやゲートＧＴ１、符号１〜２２を付した各部材により、実施例１の媒体搬送装置が構成されている。
【００４１】
（実施例１の作用）
図６は実施例１のゲートの説明図であり、図６Ａはゲートが第１の案内位置に移動した状態の説明図、図６Ｂはゲートが第２の案内位置に移動した状態の説明図である。
前記構成を備えた実施例１の複写機Ｕでは、記録シートＳが下段排紙トレイＴＲｈに排出される場合には、ゲートＧＴ１が第１の案内位置に移動する必要がある。この時、ソレノイド１３は非作動状態に保持され、ゲートバネ１２の力で、ゲートＧＴ１は後方（第２の移動位置）に移動する。したがって、突起部６がガイド突起７の上方に位置し、図６Ａに示すように、第１の案内位置にゲートＧＴ１が保持される。この状態では、ゲートＧＴ１が第２の案内位置に向けて回転しようとしても、突起部６がガイド突起７に接触して、ゲートＧＴ１が第２の案内位置に移動することが妨げられる。
【００４２】
記録シートＳが上段排紙トレイＴＲｈ２に排出される場合や、両面印刷が行われる場合に、ゲートＧＴ１が図６Ｂに示す第２の案内位置に移動する必要がある。この場合、ソレノイド１３が作動状態となる。よって、ゲートＧＴ１が前方（第１の移動位置）に移動する。従って、突起部６はガイド突起７から離れる。したがって、ゲートＧＴ１が第２の案内位置に移動可能となる。また、ゲートＧＴ１の前方への移動に伴って、ガイド片２１が螺旋状のガイドレール２２に沿って回転する。したがって、ゲートＧＴ１が図６Ｂに示すように第２の案内位置に移動する。
【００４３】
両面印刷が行われる際に、記録シートＳが反転路ＳＨ６に向けて送られる場合、ゲートＧＴ１が第１の案内位置に移動する必要がある。反転路ＳＨ６に記録シートＳが送られる場合、ソレノイド１３が作動状態から非作動状態となる。よって、ゲートバネ１２の力で、ゲートＧＴ１は後方（第２の移動位置）に移動する。ゲートＧＴ１の方向への移動に伴って、突起部６がガイド突起７に接触しながら後方に移動する。よって、突起部６が上方に移動し、ゲートＧＴ１は軸部３を中心に回転する。また、この時、ガイド片２１もガイドレール２２に沿って後方に移動しつつ、らせん状のガイドレール２２によって軸部３を中心に回転する。したがって、ゲートバネ１２の力で、ゲートＧＴ１は第１の案内位置に戻る。
【００４４】
したがって、実施例１の媒体搬送装置では、ソレノイド１３の作動や作動停止に連動して、ゲートＧＴ１が第１の案内位置と第２の案内位置との間で移動する。特に、実施例１では、突起部６とガイド突起７、ガイド片２１とガイドレール２２が設けられており、ゲートＧＴ１の前後方向の移動が、ゲートＧＴ１の回転方向（第１の案内位置と第２の案内位置との間）の移動に変換される。
なお、突起部６とガイド突起７及びガイド片２１とガイドレール２２の一方、例えば、ガイド片２１とガイドレール２２のみを、ゲートＧＴ１の前後方向の移動を回転方向の移動に変換する手段として用いる（すなわち、突起部６とガイド突起７の形状や位置関係はこのような変換の機能をもたないものとする）ことも可能である。 
【００４５】
ここで、特許文献１に記載されているような従来の構成では、ゲートをバネの力だけで、実施例１における第１の案内位置に保持している。これは、一般的に両面印刷の頻度よりも片面印刷で下段排紙トレイに排出する頻度が高いため、バネを使用することで、電力を使用せずに頻度の高い第１の案内位置にゲートを保持し、頻度の低い両面印刷等の時にモータやソレノイド等の駆動源を作動させて（電力を使用して）、第２の案内位置にゲートを移動させることが合理的であるためである。
ここで、実施例１でも特許文献１に記載の従来技術でも、反転路ＳＨ６に向けて記録シートＳが送られる際に、スイッチバックされた記録シートＳがゲートＧＴ１に接触して、反転路ＳＨ６に案内される。このとき、記録シートＳが厚紙等の剛性の高い媒体、いわゆる腰の強い媒体である場合、記録シートＳがゲートＧＴ１を押す力が強い。特に、記録シートＳの搬送方向の前端が衝突する際の力が強い。
しかしながら、バネのみで第１の案内位置に保持する従来技術では、反転路に送られる記録シートからゲートが受ける力が強くなると、バネ力が不足して、ゲートが回転してしまう場合がある。ゲートが回転すると、記録シートが反転路ではなく定着装置側に逆走してしまい、案内不良が発生する場合がある。
案内不良を防止するために、反転路に記録シートを送る際に、モータを作動させ続けたり、ゲートバネを弾性力の強いバネとすると、ランニングコストや製造コストが上昇する問題がある。
【００４６】
これらに対して、実施例１では、ゲートＧＴ１が第１の案内位置に移動した状態では、突起部６とガイド突起７とが近接した状態で保持されている。したがって、ゲートＧＴ１が記録シートＳに押されて第２の案内位置に向けて移動しようとしても、突起部６がガイド突起７に接触してゲートＧＴ１の回転が停止される。よって、ゲートＧＴ１が第１の案内位置からの移動が妨げられ、記録シートＳの案内不良が防止される。したがって、実施例１では、ランニングコスト等の費用の上昇を抑制しつつ、記録シートＳの案内不良を抑制される。
【００４７】
特に、実施例１では、ゲートバネ１２は、ゲートＧＴ１を前後方向に移動させる力を作用させるだけで済み、第１の案内位置に保持する力を作用させる必要がない。したがって、バネのみで第１の案内位置に保持するために強力なバネが必要な従来技術に比べて、弾性力の弱い、安価なバネを使用することが可能である。よって、製造費用が削減される。
なお、ゲートＧＴ１はゲートバネ１２で第２の案内位置から第１の案内位置に復帰する。よって、実施例１では、復帰時に電力を使用せず、ランニングコストを削減可能である。特に、使用頻度の高い第１の案内位置に、ソレノイド１３を作動させずに保持することが可能であり、ソレノイド１３を作動させた状態で保持する場合に比べて、ランニングコストが削減される。
【００４８】
また、実施例１では、突起部６とガイド突起７とが曲面状の外表面を有する。平面状の外表面を有する場合は、突起部６とガイド突起７との接触面積が広くなりやすく、ガイド突起７に接触しながら突起部６が移動する際の摩擦力が大きくなって、移動が円滑にならない恐れがある。これに対して、実施例１では、突起部６とガイド突起７との接触面積が狭くなり、突起部６とガイド突起７との接触しながら相対移動が円滑になりやすい。
さらに、実施例１では、後側に突起部６とガイド突起７とが配置され、前側にガイド片２１とガイドレール２２とが配置されている。ゲートＧＴ１の長手方向の両側に配置されている。一方にのみ集中させることも可能であるが、一方に集中させると、前後方向に長いゲートＧＴ１の一方と他方とで撓んだり歪んだりする恐れがある。ゲートＧＴ１が歪んだりすると記録シートＳの案内不良が発生する恐れがあるが、実施例１ではこれが抑制される。
【００４９】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ04）を下記に例示する。
（Ｈ01）前記実施例において、画像形成装置の一例としての複写機Ｕを例示したが、これに限定されず、ＦＡＸに適用したり、ＦＡＸや、プリンタ、複写機などの複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。また、多色現像の画像形成装置に限定されず、単色、いわゆるモノクロの画像形成装置により構成することも可能である。
【００５０】
（Ｈ02）前記実施例において、排紙トレイＴＲｈ，ＴＲｈ２が上下２段の構成を例示したが、３段以上の構成に適用することも可能である。また、媒体搬送装置がプリンタ部Ｕ１の内部に設置された構成を例示したがこれに限定されない。ゲートを有する搬送経路が設けられた後処理装置等の構成にも適用可能である。
（Ｈ03）前記実施例において、駆動源の一例としてのソレノイド１３を使用し、リンク１１で駆動を伝達する構成を例示したが、これに限定されない。モータや歯車、ピニオン、ラック等を使用した構成とすることが可能である。
【００５１】
（Ｈ04）前記実施例において、後側の突起部６およびガイド突起７と、前側のガイド片２１およびガイドレール２２とを両方設ける構成を例示したが、これに限定されない。いずれか一方のみとすることも可能である。例えば、ゲートＧＴ１の重心位置の設定で自重でゲートＧＴ１が第２の案内位置側に回転するように構成したり、軸部３にねじりバネを設置して第2の案内位置側に回転するように構成することで、前側のガイド片２１およびガイドレール２２を設けない構成とすることも可能である。逆に、前側のガイド片２１とガイドレール２２との接触で、ゲートＧＴ１が第１の案内位置に保持可能であるため、後側の突起部６およびガイド突起７を設けない構成とすることも可能である。
【符号の説明】
【００５２】
６…突起手段、
６〜１３…移動手段、
７…突起接触手段、
１２…付勢手段、
１３…駆動手段、
２１…被案内手段、
２２…案内手段、
ＧＴ１…切替手段、
Ｒａ，Ｒｂ…搬送手段、
Ｓ…媒体、
ＴＲｈ…収容手段、
Ｕ…画像形成装置、
Ｕｙ〜Ｕｋ＋Ｔ１＋Ｔ２＋Ｂ…画像の形成手段。
【図１】
2020050499.tif 000003
【図２】
2020050499.tif 000004
【図３】
2020050499.tif 000005
【図４】
2020050499.tif 000006
【図５】
2020050499.tif 000007
【図６】
2020050499.tif 000008